(57)【要約】【課題】予めＰＩＮコードが印刷されているプリペイドカードであっても、販売店で販売しない限りＰＩＮコードが有効にならず、販売店側にとっては管理がしやすく、安全性に優れたプリペイドカードシステムを提供すること【解決手段】電子マネー管理センター６はプリペイドカードＡに付与するＰＩＮコードＣをＰＩＮ管理センター１０に提供し、ＰＩＮ管理センター１０ではＰＩＮコードＣに紐付けしてＧＳ１バーコードＢを作成してプリペイドカードＡに表示して販売店１３に提供し、販売店１３は販売時にプリペイドカードＡのＧＳ１バーコードＢを読み取り、読み取ったＧＳ１バーコードＢを共同ＶＡＮセンター１６に送信し、ＰＩＮ管理センター１０では受信したＧＳ１バーコードＢに紐付けされているＰＩＮコードＣを上記電子マネー管理センター６に送信し、電子マネー管理センター６は受信したＰＩＮコードＣを有効化した。【選択図】図４
2010165115.tif 000002
【特許請求の範囲】
【請求項１】
プリペイドカードに表示したＰＩＮコードに基づいて電子マネー管理センターが電子マネーを決済するプリペイドカードシステムにおいて、以下の要件を備えることを特徴とするプリペイドカードシステム。
（イ）上記電子マネー管理センターはプリペイドカードに付与するＰＩＮコードを作成し、作成したＰＩＮコードをデータベースに登録するとともにＰＩＮ管理センターに提供すること
（ロ）上記ＰＩＮ管理センターでは上記ＰＩＮコードに紐付けしてバーコードを作成し、作成したバーコードと上記ＰＩＮコードとをデータベースに登録するとともに、上記ＰＩＮコードとバーコードとを表記したプリペイドカードを作成し、作成したプリペイドカードを販売店に提供すること
（ハ）上記販売店は上記プリペイドカードを販売する際、ＰＯＳ端末でプリペイドカードのバーコードを読み取り、読み取ったバーコードを共同ＶＡＮセンターに送信する
（二）上記共同ＶＡＮセンターでは受信したバーコードの内容から、該バーコードに紐付けされているＰＩＮ管理センターの情報を識別して、ＰＩＮ管理センターにバーコードに付加情報を追加して送信する。
（ホ）上記ＰＩＮ管理センターでは受信したバーコードから、該バーコードに紐付けされているＰＩＮコードを上記データベースから読み出し、読み出したＰＩＮコードを上記電子マネー管理センターに送信すること
（へ）上記電子マネー管理センターは受信したＰＩＮコードをデータベースに保存してあるＰＩＮコードと照合し、これを有効化すること。
【請求項２】
前記販売店がコンビニエンスストアで、前記共同ＶＡＮセンターがコンビニＶＡＮセンターである、請求項１記載のプリペイドカードシステム。
【発明の詳細な説明】
【技術分野】
【０００１】
本発明は、プリペイドカードシステム、詳しくはコンビニエンスストアやスーパー・量販店などで販売する際の安全性を確保することができるプリペイドカードシステムに関するものである。
【背景技術】
【０００２】
近年、インターネットを利用してオンラインショッピングなどの電子商取引が定着している。このような電子商取引においては様々な決済方法が実施されているが、安全性の面や小額の取引では予め一定の金額を支払うプリペイド方式が普及している。その一つとしてプリペイドカードを利用するものがあり、決済時にはプリペイドカードに記載されているＰＩＮコードを入力することにより、電子マネー管理センターは受信したＰＩＮコードに対応する残高と支払い金額とをチェックして決済を行うようにしたものであるが、プリペイドカードの購入後に不正使用をされる可能性があるため、不正使用ができないようなプリペイドカードシステムが提案されている（例えば、特許文献１）。
【先行技術文献】
【特許文献】
【０００３】
【特許文献１】特開２００２−１１７３４９号公報
【発明の概要】
【発明が解決しようとする課題】
【０００４】
本発明が解決しようとする問題点は、上記のプリペイドカードシステムでは、販売後の問題点を回避することはできるが、プリペイドカードにはＰＩＮコード（ＩＤ）が既に印刷されているため、コンビニエンスストアやスーパー・量販店などの販売店で販売する場合、盗難にあうとそのまま使用されてしまうため被害が大きくなる問題があり、その在庫管理には気を使わなければならない問題があるとともに、プリペイドカードの販売時点または販売前に販売店での金額登録の不正は制御できない問題があった。
【０００５】
本発明は、上記問題点を解決する為、プリペイドカードに予めＰＩＮコードが印刷されている従来のプリペイドカードの形態であっても、販売店で利用者がカード代金を支払わない限りＰＩＮコードが有効にならず、販売店側にとっては管理がしやすく、ＥＣサイト、電子マネー管理センターにおいても被害の発生しない安全性に優れた、しかも販売店に特別な機器を設置する必要のないコストの面でも有効なプリペイドカードシステムを提供することを課題とする。
【課題を解決するための手段】
【０００６】
前記課題を解決するために本発明に関るプリペイドカードシステムは、プリペイドカードに表示したＰＩＮコードに基づいて電子マネー管理センターが電子マネーを決済するプリペイドカードシステムにおいて、以下の要件を備えることを特徴とする。
（イ）上記電子マネー管理センターはプリペイドカードに付与するＰＩＮコードを作成し、作成したＰＩＮコードをデータベースに登録するとともにＰＩＮ管理センターに提供すること
（ロ）上記ＰＩＮ管理センターでは上記ＰＩＮコードに紐付けしてバーコードを作成し、作成したバーコードと上記ＰＩＮコードとをデータベースに登録するとともに、上記ＰＩＮコードとバーコードとを表記したプリペイドカードを作成し、作成したプリペイドカードを販売店に提供すること
（ハ）上記販売店は上記プリペイドカードを販売する際、ＰＯＳ端末でプリペイドカードのバーコードを読み取り、読み取ったバーコードを共同ＶＡＮセンターに送信する
（二）上記共同ＶＡＮセンターでは受信したバーコードの内容から、該バーコードに紐付けされているＰＩＮ管理センターの情報を識別して、ＰＩＮ管理センターにバーコードに付加情報を追加して送信する。
（ホ）上記ＰＩＮ管理センターでは受信したバーコードから、該バーコードに紐付けされているＰＩＮコードを上記データベースから読み出し、読み出したＰＩＮコードを上記電子マネー管理センターに送信すること
（へ）上記電子マネー管理センターは受信したＰＩＮコードをデータベースに保存してあるＰＩＮコードと照合し、これを有効化すること。
【０００７】
なお、前記販売店がコンビニエンスストアで、前記共同ＶＡＮセンターがコンビニＶＡＮセンターであればよい。
【発明の効果】
【０００８】
請求項１の発明によれば、プリペイドカードの販売時にＰＯＳ端末で決済し、ＧＳ１コードをＰＩＮ管理センターに送信しない限りはＰＩＮコードが有効にならないので、決済前のプリペイドカードは単なる印刷物に過ぎず、厳密な在庫管理が要求されないので盗難、紛失、破損が生じてもカードを販売する販売店、プリペイドカード発行事業社に被害を与えることはない。
【０００９】
請求項２の発明によれば、全国全てのコンビニエンスストアのＰＯＳが繋がっているコンビニＶＡＮセンターを使用することにより、コンビニエンスストアはプリペイドカードを販売するだけで他の商品を販売する場合と同様に特別な処理をするための装置も操作も必要とせず、コンビニエンスストアにとっても取り扱いに優れたプリペイドカードシステムを提供することができるし、コンビニＶＡＮセンターにアクセスできるＰＯＳシステムを備えた販売店、例えばスーパーや量販店であればコンビニエンスストアだけではなくあらゆる販売店で本システムを容易に導入することができる。
【図面の簡単な説明】
【００１０】
【図１】本発明のプリペイドカードシステムに適用されるプリペイドカードの一例を示す説明図
【図２】インターネットを介して電子マネーが決済される過程の説明図
【図３】電子マネーが決済される過程を説明するフローチャート図
【図４】ＰＩＮコードが有効になる過程の説明図
【図５】ＰＩＮコードが有効になる過程を説明するフローチャート図
【発明を実施するための形態】
【００１１】
図１は本発明に係るプリペイドカードシステムに用いられるプリペイドカードの一例を示し、このプリペイドカードＡはカードの販売時にＰＯＳ端末で読み取るバーコード（ＧＳ１バーコード）Ｂと、ＰＩＮコードＣとが表示されているもので、カードを販売する販売店（例えば、コンビニエンスストア）で購入することができ、購入したプリペイドカードＡの金額内で商品や情報（例えば、本の購入や音楽のダウンロードなど）の購入ができるようになっているもので、例えば、図２、図３に示すように、利用者１がパソコン等の端末２でインターネット３を介して情報提供者（以下、ＥＣサイトという）４の情報提供サーバー５にアクセスし（ａ１０１）、希望する商品や情報を要求すると、ＥＣサイト４の情報提供サーバー５は利用者１の端末２にＰＩＮコードＣを要求するので（ａ１０２）、利用者１はプリペイドカードＡに記載されているＰＩＮコードＣを入力すると、入力されたＰＩＮコードＣはＥＣサイト４の情報提供サーバー５に送信される（ａ１０３）。
【００１２】
ＥＣサイト４の情報提供サーバー５は受信したＰＩＮコードＣと販売金額とを電子マネー管理センター６の管理サーバー７に送信し（ｂ１０１）、ＰＩＮコードＣが有効か否かと決済可能か否かを問い合わせる。電子マネー管理センター６の管理サーバー７はデータベース８を参照し、受信したＰＩＮコードＣの有効の有無と、残高を確認し、ＰＩＮコードＣの有効をフィードバックするとともに、情報に設定されている金額を決済し、決済金額をＥＣサイト４の情報提供サーバー５に支払処理を行い（ｂ１０２）、ＥＣサイト４は情報や商品を利用者１に提供する（ａ１０４）ようになっているものである。
【００１３】
ところで、本システムでは、上記プリペイドカードＡには既にＰＩＮコードＣが印刷されているのでプリペイドカードＡが販売されるまではＰＩＮコードＣを無効にし、利用者が販売店で購入し、カード代金を支払った時点でＰＩＮコードＣを有効にするようにした。
【００１４】
そのため、本システムでは、図４、５に示すように、ＰＩＮコードＣを管理するＰＩＮ管理センター１０を配置した。電子マネーを管理する電子マネー管理センター６はプリペイドカードＡに個別に付与するＰＩＮコードＣを作成し、作成したＰＩＮコードＣを管理サーバー７のデータベース８のＰＩＮコードテーブル８ａに保存するとともにＰＩＮ管理センター１０に適宜手段（印刷物、ＣＤ−ＲＯＭ、通信等）を用いて供給する（ｃ１０１）。
【００１５】
上記ＰＩＮ管理センター１０は電子マネー管理センター６から提供されたＰＩＮコードＣに紐付けしてＧＳ１のバーコードＢを作成し、プリペイドカードＡにＧＳ１バーコードＢとＰＩＮコードＣとを印刷又はシールなどで形成し（図１参照）、ＰＩＮ管理サーバー１１のデータベース１２ａにＰＩＮコードＣを保存する。また作成したＧＳ１バーコードＢはデータベース１２ｂに保存する。
【００１６】
ＧＳ１バーコードＢはＧＳ１−１２８という規格により、特別な開発をせずにリアルタイムにＰＯＳ端末から電文を受信することが可能なもので、コンビニエンスストアの料金収納代行に使用されている企画化された共同ＶＡＮ用メーカーコードであり、この共同ＶＡＮに接続されているＰＯＳ端末であれば特別な設備投資を行うことなく、指定されたＰＩＮ管理センター１０にＧＳ１バーコードＢを送信することができるようになっているものである。
【００１７】
上記ＰＩＮ管理センター１０は、作成したプリペイドカードＡをＰＯＳ端末１４を備えたコンビニエンスストアなどの販売店１３に提供する（ｄ１０１）。
【００１８】
販売店１３では、利用者１がプリペイドカードＡを購入し（ｅ１０１）、代金Ｍを支払うと（ｅ１０２）、販売店１３の販売員はＰＯＳ端末１４のバーコードリーダーでＧＳ１バーコードＢを読み取り、読み取ったＧＳ１バーコードＢに記載されている金額に基づいてカード代金の決済を行うとともに、共同ＶＡＮセンター１６に読み取ったＧＳ１バーコードＢを送信する（ｄ１０２）。
【００１９】
上記共同ＶＡＮセンター１６は受信したＧＳ１バーコードＢの情報から登録された企業（この場合はＰＩＮ管理センター１０）をデータベース１８から検索し、ＰＩＮ管理センター１０のＰＩＮ管理サーバー１１に受信したＧＳ１バーコードＢを送信する（ｄ１０３）。
【００２０】
ＧＳ１バーコードＢを受け取ったＰＩＮ管理センター１０のＰＩＮ管理サーバー１１はデータベース１２ａを参照し、ＧＳ１バーコードＢに紐付けされたＰＩＮコードＣを読み出し、読み出したＰＩＮコードＣを電子マネー管理センター６の管理サーバー７に送信する（ｃ１０２）。
【００２１】
電子マネー管理センター６の管理サーバー７は受信したＰＩＮコードＣを有効にする。
管理サーバー７が受け取ったＰＩＮコードＣを有効にした時点で、そのＰＩＮコードＣが表示されたプリペイドカードＡは有効になるので、販売店１３ではカード代金を精算するだけでプリペイドカードＡは有効になるため、特別な処理を行う必要がないので販売員はプリペイドカードＡも一般の商品と同じように処理することができ、しかもＰＯＳ端末を通すまではプリペイドカードＡは有効にならないので在庫管理にも特別な配慮を行うことがなく取り扱い性に非常に優れたプリペイドカードシステムを実現することができる。
【００２２】
上述のように、ＰＩＮコードＣが有効になったプリペイドカードＡをＥＣサイト４で使用する場合は、図２、３で説明したように、利用者１は販売店（コンビニエンスストアなど）１３で購入したプリペイドカードＡを用意した上で、端末２を立ち上げてインターネット３に接続し、ＥＣサイト４にアクセスした上で必要な情報を検索し、必要な情報にヒットしてこれを購入する場合は、ＥＣサイト４からＰＩＮコードＣを要求する画面が表示されるので、キーボードからプリペイドカードＡに表示されたＰＩＮコードＣを入力し、画面上に表示される送信ボタン（図示せず）をクリックすると、入力したＰＩＮコードＣはインターネット３を経由してＥＣサイト４に送られ、ＥＣサイト４は受け取ったＰＩＮコードＣを電子マネー管理センター６に送る。
【００２３】
ＰＩＮコードを受信した電子マネー管理センター６は受け取ったＰＩＮコードＣが有効なＰＩＮコードか否か、有効なＰＩＮコードであれば決済可能な残高があるか否かを判断し、有効であると判断した場合はＥＣサイト４にその旨通知するとともに、情報の提供代金を決済し、電子マネーによる支払処理を行われる。
【００２４】
上述したように、販売する前のプリペイドカードＡには金額を含めた各種情報が記載されたＧＳ１バーコードＢとカード固有の識別情報であるＰＩＮコードＣとが表示されているが、販売店１３のＰＯＳ端末１４で入金処理を行わない限り、ＰＩＮコードＣが有効にならないので、もし販売前に盗難や紛失するトラブルがあっても、ＰＯＳ端末で入金処理を行わない限りＰＩＮコードは無効のままなので、カードを販売する者、情報を提供するものにとってリスクの極めて小さなプリペイドカードシステムを提供することができる。
【００２５】
なお、プリペイドカードＡには金額を含めた各種情報が記載されたＧＳ１バーコードＢとカード固有の識別情報であるＰＩＮコードＣとが表示されており、ＧＳ１バーコードＢを受け取ったＰＩＮ管理センター１０のＰＩＮ管理サーバー１１はデータベース１２ａを参照し、ＧＳ１バーコードＢに紐付けされたＰＩＮコードＣを読み出し、読み出したＰＩＮコードＣを電子マネー管理センター６の管理サーバー７に送信するので、金額を改竄しようとしてＧＳ１バーコードＢに加工を施したとしても、そのバーコードにはＰＩＮコードが紐付けされているのでＰＩＮ管理センター１０のＰＩＮ管理サーバー１１はアンマッチを検証することができる。
【００２６】
また、販売店がコンビニエンスストアであれば全国全てのコンビニエンスストアのＰＯＳが繋がっているコンビニＶＡＮセンターを使用することにより、コンビニエンスストアはプリペイドカードを販売するだけで他の商品を販売する場合と同様に特別な処理をするための装置も操作も必要とせず、コンビニエンスストアにとっても取り扱いに優れるとともに安全性に優れたプリペイドカードシステムを実現することができる。また、スーパーや量販店においてもコンビニＶＡＮセンターにアクセスできるＰＯＳシステムを備えていれば本システムを容易に適用させることができる
【符号の説明】
【００２７】
１    利用者
２    端末
３    インターネット
４    ＥＣサイト（情報提供者）
６    電子マネー管理センター
１０    ＰＩＮ管理センター
１３    販売店
１４    ＰＯＳ端末
１６    共同ＶＡＮセンター
Ａ    プリペイドカード
Ｂ    ＧＳ１バーコード
Ｃ    ＰＩＮコード
【図１】
2010165115.tif 000003
【図２】
2010165115.tif 000004
【図３】
2010165115.tif 000005
【図４】
2010165115.tif 000006
【図５】
2010165115.tif 000007